(57)【特許請求の範囲】
【請求項１】
センサ（１１）に対して並進的に移動可能な部分（４５）、特にセンサ（１１）を搭載したシリンダ（４３）内のピストン（４５）を移動軸上のその位置に対して監視するためのセンサ（１１）であって、前記センサ（１１）は移動可能な部分（４５）に配置された、北極と南極に関して移動方向に方向付けされた磁石（４９）によって動作可能である、前記センサにおいて、
センサ（１１）が、３つの平行に方向付けされたリード接点（１５、１６、１７）を有しており、そのうちの第１のリード接点（１５）と第２のリード接点（１６）が１つの平面内に、かつその長手軸を平行に並べて配置されており、それによって、移動可能な部分（４５）に配置されている磁石（４９）の磁場（５１）によって実際に同時に動作可能であり、かつ第３のリード接点（１７）が第１と第２のリード接点（１５、１６）の平面に対して距離をおいて配置されており、センサ（１１）には、リード接点（１５、１６、１７）の長手方向の一方の端部に配置されるシールド（１９）が設けられていることを特徴とする、センサに対して並進的に移動可能な部分を監視するためのセンサ。
【請求項２】
第３のリード接点（１７）が、２つの同じに切り替るリード接点（１５、１６）と最大で同じ感度であることを特徴とする請求項１に記載のセンサ。
【請求項３】
シールド（１９）が鉄であることを特徴とする請求項１または２に記載のセンサ。
【請求項４】
リード接点（１５、１６、１７）の両方の端部に、それぞれシールド（１９）が設けられていることを特徴とする請求項１から３のいずれか１項に記載のセンサ。
【請求項５】
センサ（１１）の向き合っている端部に、固定テール（２５）が設けられていることを特徴とする請求項１から４のいずれか１項に記載のセンサ。
【請求項６】
２つの係止ヘッド（２３）が設けられており、固定テール（２５）に歯（３５）が設けられ、係止ヘッド（２３）には歯に噛合する係止機構（３３）が設けられており、それらが協働して係止ヘッド（２３）の取付けを許すが、取り付けられた係止ヘッド（２３）の引き抜きを阻止することを特徴とする請求項５に記載のセンサ。
【請求項７】
係止機構（３３）は、工具によって固定テール（２５）との作用結合から外すことができることを特徴とする請求項６に記載のセンサ。
【請求項８】
固定装置（３３、５３；２５、２３；６１）が設けられており、前記固定装置はセンサと協働するように、あるいは結合して形成されており、かつ特にピストンの移動方向における、センサ（１１）の移動を阻止し、前記固定装置がセンサ（１１）を、好ましくは取外し可能な形状結合を介してセンサのための支持体（４３）、特にシリンダ（４３）の壁と結合し、かつ
形状結合を維持するためにばね手段（３３、６７）が設けられていることを特徴とする、センサに対して並進的に移動可能な部分を監視するための請求項１に記載のセンサ。
【請求項９】
センサの向き合っている端部に、それぞれ固定テール（２５）が設けられており、かつ２つの係止ヘッド（２３）が設けられており、その場合に固定テール（２５）に歯（３５）が設けられ、係止ヘッド（２３）に、歯（３５）内に係合する係止機構（３３）が設けられており、それらが協働してそれぞれ固定テール（２５）上への２つの係止ヘッド（２３）の取付けを許し、取り付けられた係止ヘッド（２３）の引き抜きを阻止することを特徴とする請求項８に記載のセンサ。
【請求項１０】
センサ（１１）に、逆に作用する２つの係止機構（３３）が搭載されており、かつそれぞれ固定テール（２５）とストッパヘッド（５５）を備えた２つの固定部分（５３）が設けられており、
その場合に固定テール（２５）に歯（３５）が設けられており、前記歯がセンサ（１１）に設けられた係止機構（３３）の１つと協働して、センサ（１１）上への２つの固定部分（５３）の取付けを許すが、取り付けられた固定部分（５３）の引き抜きを阻止することを特徴とする請求項８に記載のセンサ（１１）。
【請求項１１】
センサ（１１）に固定装置（６１）が設けられており、前記固定装置が少なくとも１つの歯（６３）を有しており、前記歯がセンサを収容する溝（４１）の表面内へ圧入可能であることを特徴とする請求項８に記載のセンサ（１１）。
【請求項１２】
固定装置が、センサボディ（２１）を包囲していることを特徴とする請求項１１に記載のセンサ。
【請求項１３】
固定装置が、センサから取外し可能なばね部材であることを特徴とする請求項１２に記載のセンサ。
【請求項１４】
シリンダ内のピストン（４５）、ピストン（４５）に設けられ、シリンダ（４３）内のピストン（４５）の移動方向に極性の方向を有する磁石（４９）、シリンダ（４３）に設けられ、シリンダ（４３）内のピストン（４５）の位置を監視するためのセンサ（１１）を有するシリンダ（４３）において、
センサ（１１）が、請求項１から１３のいずれか１項に記載のセンサであることを特徴とするシリンダ。
【請求項１５】
シリンダ（４３）に溝（４１）が形成されており、前記溝内にセンサ（１１）が、ピストン（４５）の移動方向に移動可能に配置されていることを特徴とする請求項１４に記載のシリンダ。
【請求項１６】
センサ（１１）が、シリンダ状の部分として形成されており、そのシリンダ軸がリード接点（１５、１６、１７）の長手方向に対して平行に位置していることを特徴とする請求項１４または１５に記載のシリンダ。
【請求項１７】
センサ（１１）の横断面がそのシリンダ軸に対して垂直に次のように、すなわちセンサ（１１）がそのシリンダ軸に関して唯一の回転位置においてのみシリンダ（４３）の溝（４１）内へ進入可能であるように、形成されていることを特徴とする請求項１４から１６のいずれか１項に記載のシリンダ。
【請求項１８】
磁気リング（４９）が、ピストン（４５）を取り巻いて形成されていることを特徴とする請求項１４から１７のいずれか１項に記載のシリンダ。
【発明の詳細な説明】
【技術分野】
【０００１】
本発明は、センサに対して並進的に移動可能な部分を移動軸上のその位置に対して監視するためのセンサと、ピストンの位置をその運動軸に対して監視するためのこの種のセンサを有するシリンダに関する。本発明は、特に、空気圧シリンダまたは液圧シリンダのための安全位置センサと、その位置センサを有するこの種のシリンダに関する。
【背景技術】
【０００２】
磁石を備えたピストンの位置を、磁石によって影響されるリード接点を用いて監視することが知られている。これは、しばしば、ピストンを取り巻く磁気リングとシリンダに設けられた１つまたは２つの並列に作用するリードスイッチとによって達成される。シリンダは、この目的のために、非磁気的な材料からなる。
【０００３】
しかしながらこの種のリード接点は、外部からあてがわれる磁石によって、シリンダの位置に基づいて開放されるべき場合に、閉鎖するようにされることがある。これは、安全上の理由から、回避されなければならない。さらに、シリンダの移動軸に沿ってセンサが不用意に移動することを阻止しなければならず、その一方、センサの位置の調整は許されなければならない。
【発明の開示】
【発明が解決しようとする課題】
【０００４】
本発明の課題は、移動可能な部分が安全な位置にある場合にのみ、この移動可能な部分の安全な位置を表示する、安全センサを提供することである。それは外部の磁場によって影響を受けて、シリンダが安全でない位置にある場合に、シリンダの安全な位置を表示することがあってはならない。本発明の他の課題は、センサの位置決めと、この位置においてたとえばシリンダに、センサを確実に固定することを、技術的に簡単な手段で達成することである。
【課題を解決するための手段】
【０００５】
この課題は、本発明によれば、独立請求項の特徴によって解決される。
【０００６】
センサに対して並進的に移動可能な部分を移動軸上のその位置に対して監視するためのセンサは、移動可能な部分に配置された、北極と南極に対して移動方向に方向付けされた磁石によって操作可能である。センサは、本発明によれば、３つの平行に配置されたリード接点を有しており、そのうちの第１と第２のリード接点は、１つの平面内に配置されている。それらは、その長手軸を平行に並べて配置されている。この配置によって、これらのリード接点は、移動可能な部分に配置された磁石の磁場によって実際に同時に操作可能である。第３のリード接点は、第１と第２のリード接点の平面に対して距離をもって配置されている。操作する磁石に対して他の２つのリード接点よりも大きい距離で配置されている第３のリード接点を有する、この種のセンサは、外部磁場による操作に対してより安全である。外部から印加される外部磁場は、常にまず、外部からあてがわれる磁石により近い位置にある第３のリードスイッチを操作する。実際には、外部の磁場によって第１と第２のリード接点が操作される場合に、第１の２つのリード接点の近傍に配置された第３のリード接点を操作しないことは、不可能である。第３のリード接点を操作することなしに、第１の２つのリード接点を操作するためには、第１の２つのリード接点の位置と第３のリード接点の位置の間において、磁場のできるだけ大きい下降を得ることが必要である。これは実際には、励磁磁石が第１の２つのリード接点の近傍に、従ってすでに励磁磁石に割り当てられている位置に配置されている場合にのみ、可能である。さらに、リード接点の感度と磁石によって移動可能な部分に生成される磁場の強さの細かい調整が必要である。
【０００７】
この種のセンサは、特に、シリンダ内のピストンの位置を認識するのに適している。その場合にセンサは、非磁性材料、たとえばアルミニウムからなるシリンダに配置されており、ピストンは磁石、好ましくはピストンを取り巻く磁気リングを支持している。
【０００８】
第３のリード接点は、好ましくは最大で、２つの並列に配置されて、等しく切り替るリード接点と同じ感度であり、それによって磁場が強い場合にこれらよりも早くは応答しない。その場合に励磁磁石に対する間隔が、重要なファクターとなる。
【０００９】
センサ信号のための領域をより正確にし、かつ磁石の、センサ信号を生じさせる位置とセンサ信号を生じさせない位置との間の境界領域をできるだけ短くするために、２つの同じように切り替るリード接点の一方の端部において、好ましくはリード接点の両方の端部において、センサにシールド、特に鉄部分が設けられている。このシールドが、励磁磁石の磁場を歪めるので、磁場がシールドの材料によってリード接点の領域から逸らされる。磁石の所定の位置から、磁場は一方の極でシールドから飛躍し、他方の極でシールド内へ飛躍し、すなわちそれまで特に北の磁場線がシールドによって変形され、南の磁場線は実際には変形されていない場合に、変形が突然南極の磁場線へ変化し、北極の磁場線はほとんど変形されない。それによって一義的な信号が得られる。
【００１０】
両側のシールドの場合には、同様に飛躍を得ることができ、その場合に磁場線全体が変形されている。しかし、第１のシールドによって捕捉される磁場線が、突然他のシールドによって捕捉され、その場合に第１のシールドが他の極の磁場線を即座に捕捉する。
【００１１】
両側のシールドは、特に、センサを逆方向に組み込むことが排除されている、という利点を有している。代替的に、センサとシールドの位置の一義的な識別子を設けることができる。
【００１２】
センサを振動や不用意な操作によりずれないように簡単に取り付けるために、センサの向き合っている端部に固定テールが設けられている。この固定テールが、それぞれテール端部から離れるようにセンサがずれることを阻止するので、向き合っている２つの固定テールによって、両方向のずれが防止されている。
【００１３】
固定テールを簡単に固定するために、好ましくは２つの係止ヘッドが設けられている。固定テールには歯が設けられ、係止ヘッドには歯に噛合する係止機構が設けられている。歯と係止機構が協働して、係止ヘッドの取付けを許すが、一度取り付けられた係止ヘッドの引き抜きを阻止する。この種の歯と係止機構は、ケーブルコネクタから知られている。
【００１４】
係止機構を工具を用いて固定テールとの作用結合から外せるようにすることができる。
【００１５】
センサに対して並進的に移動可能な部分を移動軸上のその位置に対して監視するための、移動可能な部分に配置された磁石によって操作可能なセンサを、簡単に位置決めし、かつ確実にずれないように位置決めすることは、本発明によれば、センサの向き合っている端部に固定テールを設け、かつ２つの係止ヘッドを設けることによって、達成される。各固定テールには歯が設けられており、各係止ヘッドには歯内に係合する係止機構が設けられており、それらが協働して固定テール上への係止ヘッドの取付けを許すが、一度取り付けられた係止ヘッドの引き抜きを阻止する。係止ヘッドは、ストッパを有しており、そのストッパは、たとえばシリンダにセンサを取り付けた後に、シリンダのストッパ面に対して押圧されるので、センサは一方の固定テールによって、一方の方向へ移動することを阻止され、他方の固定テールによって逆方向に移動することを阻止されている。
【００１６】
微調整のために、係止ヘッドのストッパをねじを介して係止ヘッドの係止機構と結合させることができ、そのねじは固定テールの長手方向に延びる。安全のためには、ストッパは係止機構と取外しできないように結合されなければならない。ねじ軸を中心にストッパを回動させることによって、固定テールから係止ヘッドが外れるようなことがあってはならない。
【００１７】
センサに２つの固定テールとそれと協働する２つの係止ヘッドを設ける形態の代わりに、センサに２つの逆方向に係止する係止機構を形成することもでき、センサの固定は、ストッパと歯を有する固定テールの挿入によって行うことができる。固定テールは、両側から２つの係止機構内へ挿入される。好ましくは、固定テールは、たとえばシリンダに形成された溝内に並んだ場所を見いだし、従って互いに長手方向に重なることができるように、形成されている。
【００１８】
もっと一般的に表現すると、センサは、センサと協働するように、あるいは結合されて形成された固定装置を特徴としている。この固定装置が、特にピストンの移動方向におけるセンサの移動を阻止する。固定装置は、センサを、好ましくは取り外し可能な形状結合を介して、センサのための支持体と結合する。支持体として、特に、シリンダの壁が設けられている。本発明によれば、形状結合を維持するためにばね手段が設けられている。ばね手段は、失われることがなく、かつ、たとえば固定テールと係止舌片の間、あるいは歯と、支持体の表面に形成された凹部との間の、形状結合を確実に維持する。
【００１９】
センサは、好ましくは、少なくとも１つの歯を備えた固定装置を有しており、その歯はセンサを収容する溝の表面へ圧入可能である。この圧入によって、歯と形状結合するための凹部を形成することができる。しかしその代わりに、たとえば、支持体の表面に、一連の凹部を有するローレットを設けることもできる。この場合には、歯がローレットの凹部の１つに嵌入する。
【００２０】
固定装置は、好ましくはセンサボディを包囲している。それによってセンサボディは、同様に固定装置と形状結合で結合されている。
【００２１】
従って固定装置は、センサから外されたばね部材である。これは、固定装置を、たとえば、センサボディを包囲するように形成されたばね鋼バンドから一体的に形成することができる、という利点を有している。好ましくは、少なくとも２つの歯が設けられており、それが支持体内の溝の表面と噛合する。この種のばね部材に、さらに、好ましくはフランジ６９が形成されており、それがＴ字状にアンダーカットされた溝のアンダーカット内へ係合する。それによってばね部材は、単にセンサと共に長手方向に溝から出し、あるいは溝内へ挿入することができる。
【００２２】
本発明は、内部にピストンを有するシリンダにも関し、ピストンには磁石が設けられており、その磁石はピストンの移動方向の極性で方向付けされている。シリンダには、シリンダ内のピストンの位置を監視するためのセンサが配置されている。このセンサは、本発明に基づくセンサである。本発明に基づくセンサは、ピストン位置の監視を確実なものにする。センサは、２つのリード接点が同時に磁石の磁場に応答しなければならず、第３のリード接点が応答してはならないことによって、安全を保証する。第３のリード接点は、磁石とピストンからの距離が大きく、外部から作用する外部磁場により近い位置にある。従ってこのリード接点は、外部から作用する外部磁場が、センサに影響を与えるのに十分に大きい場合に、常に２つの内側のリード接点の切り替え前に切り替る。第３のリード接点は、他の２つが閉鎖している場合に開放するので（あるいはその逆）、外部磁場によってピストンの安全な位置を模擬することはできない。
【００２３】
シリンダには、好ましくは溝が形成されており、その溝内にセンサがピストンの移動方向に移動可能に配置されている。センサは、外側からこの溝内へ挿入して、その中で可能な移動方向に沿って所望の位置へ移動させることができる。
【００２４】
センサは、好ましくはシリンダ状の部分（しかし軸対称でなく、従って円形シリンダ状の部分ではなく、好ましくはミラー平面に対して対称に形成された、直角の平行六面体）として形成されており、そのシリンダ軸がリード接点の長手方向に対して平行に位置している。
【００２５】
軸対称からのずれによって、センサの横断面はそのシリンダ軸に対して垂直に、センサがそのシリンダ軸に対して唯一の回動位置においてのみシリンダの溝内へ進入できるように、形成されている。それによってセンサを誤って方向付けされた位置に挿入することを不可能にすることができる。その代わりに（あるいはそれに加えて）、溝内へのセンサの誤った挿入を明白に認識できるようにする、センサのマーキングも可能である。
【００２６】
それ自体知られているように、ピストンを取り巻くように磁気リングが形成されており、それによってピストンはピストン軸を中心とするその回転位置とは関係なく、常にセンサに同じ影響を与える。
【発明を実施するための最良の形態】
【００２７】
図面に示す実施形態を用いて、本発明を以下で詳細に説明する。
【００２８】
図１に示すセンサ１１のコア片は、プリント基板１３と２つの第１のリード接点１５、１６と第３のリード接点１７から構成されている。第１の２つのリード接点１５と１６は、平行に配置された常開接点である。第３のリード接点１７は、第１のリード接点１５と直列に接続されており、かつ常閉接点である。
【００２９】
第１の２つのリード接点は、プリント基板１３の下側の共通の平面内に、リード接点のための接続点が矩形に配置されるように、並べて配置されている。第３のリード接点１７は、プリント基板１３の上側で第１の２つのリード接点に対して平行に配置されている。その接続点は、第１の２つのリード接点１５、１６の接続点により形成される矩形の２つの側にある。
【００３０】
２つの第１のリード接点１５、１６の平面内に、磁気的なシールド１９としての金属バーが配置されている。このシールドの空間的形成は、少ない重要性しか持たない。金属バーの長手方向は、たとえば、リード接点１５、１６の長手方向に対して垂直に方向付けされている。金属バーの幅は、リード接点１５、１６の長手方向に向けられている。それによってシールドが第３のリード接点に対してできるだけ距離をおいて配置されており、２つの第１のリード接点を良好に遮蔽する。
【００３１】
上述したこれらの部分が、図２に示すプラスチックセンサボディ２１内に成形されている。このセンサボディ２１は、Ｔ字状の横断面を有している。Ｔ字の上側へ向けられた幹の内部に第３のリード接点１７が配置され、Ｔ字の横梁内にプリント基板と２つの第１のリード接点１５、１６とシールド１９（設けられる場合）が配置されている。センサボディ２１は、その形状において、センサを収容すべき収容装置に適合されている。Ｔ字状の横断面を有する図示のシリンダ状の形状は、センサをＴ字状にアンダーカットして形成された溝内に長手方向に移動するように配置するのに、適している。
【００３２】
２つの固定テール２５上に図４に示す係止ヘッド２３を２つ有する、図３に示すセンサ１１は、この種のＴ字状にアンダーカットされた溝内の様々な位置に固定可能である。センサ１１は、中央のセンサボディ２１の両側の、リード接点の長手方向に対して垂直のＴ字状の端面に、それぞれ固定テール２５を有している。これらは、センサボディ２１と一体的に成形されている。この端面から、センサのための接続ケーブル２７が出ている。この接続ケーブルは、表示とは異なり、２つの端面に設けることもできる。接続ケーブル２７は、係止ヘッド２３の開口部２９を通して案内される。
【００３３】
係止ヘッド２３に、固定テール２５を挿通させるための係止開口部３１が形成されている。この係止開口部３１内に係止舌片３３が形成されており、それが固定テール２５に設けられた歯３５と係合することができる。係止ヘッドに、ストッパ面３７が形成されており、それが、溝を形成する壁の端面と協働することができる。
【００３４】
図５において、この種のセンサ１１がシリンダ４３の壁の溝４１内に配置されている。ピストン４５は、シリンダ空間４７内に線形に移動可能に配置されている。このピストンは、空気、油圧オイルまたは他の媒体によって双方向に移動することができ、あるいはこの媒体を、たとえば動力でもたらされるその位置変化によって移動させる。媒体の流入と流出のために、ピストン壁に開口部４６が設けられている。ピストンのこの移動は、プランジャ４８によってモータからピストンへ、あるいはピストンからたとえば工具へ伝達される。ピストン４５の周面に、リング状の磁石４９が配置されている。磁場線５１が、磁石４９のローカルな磁場を図式的に簡単に表示している。
【００３５】
図５において、ピストンは安全でない領域Ｂにおいて示されている。図７においては、ピストン４５は安全な領域Ａで示されている。ピストン４５が、安全でない領域Ｂ内にある場合には、磁石４９の磁場は、センサ１１内のリード接点を切替えるのに、十分に強くない。磁場線がリード接点を通って延びる位置において初めて、磁石はこのリード接点を切り替えることができる。２つの第１のリード接点１５と１６は、磁石により近くなる。従ってこれらが、外側の第３のリード接点を付加的に遮蔽する。磁場線は、リードスイッチの接点部材の領域内に達するとすぐに、集中的にこれら接点部材を通して延びて、それによってその中に接点を閉鎖する力を発生させる。
【００３６】
図８には、図５と７と同じ状況が示されている。しかし、センサ１１には、２つのシールド１９が設けられている。従って磁場線５１は、ピストン４５の２つの位置において歪む。従ってセンサ１１の領域内に、安全な位置Ａが生じる。この領域の外部において、ピストン４５は安全でない位置にある。これらの領域の間の移行領域は、シールド１９によって、このシールドなしの場合よりも正確になる。
【００３７】
さらに図８においては、図１から７とは異なり、センサ１１には２つの固定テール２５ではなく、固定部分５３の歯３５内に係合するための、２つの係止機構、特に２つの係止舌片３３が形成されている。固定部分５３は、歯３５を備えた固定テール２５とストッパヘッド５５を有している。固定テール２５の歯が、センサボディ２１に設けられた係止舌片内へ噛合する。この係止舌片と噛合した固定テールは、もはや引き戻すことはできないので、それによってセンサボディは、固定部分５３の２つのストッパヘッドがシリンダ４３に当接するとすぐに、その位置に固定される。ストッパヘッドがシリンダ４３の長さを超えて突出しないようにするために、溝はその端部において拡幅されており、かつストッパヘッド５５は拡幅された溝内へ嵌り込む。好ましくは、アンダーカットを形成する、溝壁の２つの側方のフランジ５９は、その端部をカットされている。
【００３８】
係合は、工具によって取外し可能とすることができる。そのために、係止舌片３３が固定テール２５から離れるように押圧可能であるか、あるいは固定テール２５を係止舌片３３から持ち上げることができる。第１の場合には、係止舌片３３はセンサボディ２１と弾性的に結合されている、あるいはセンサボディ２１と弾性的に結合された部分上に形成されている。第２の場合においては、固定テール２５が溝４１に対して弾性的に支持されている。いずれにしても、係合はばね手段によって維持される。
【００３９】
シリンダ４３の溝４１内にセンサ１１を確実に固定するための他の例が、図９と１０に示されている。センサ１１には、固定ディスク６１が固定されており、その固定ディスクは、Ｔ字状にアンダーカットされた溝４１が形成されているシリンダのジャケット面よりも硬い材料からなる。このディスク６１にはねじが設けられており、そのねじ内にボルト６５が螺合されている。ディスク６１の端縁に、あるいは４つの角部に、歯６３が形成されている。この歯は、ボルト６５を引き締めることによって、溝４１のアンダーカットを形成するフランジ５９の材料内へ圧入することができる。従って歯が、フランジ５９と噛合する。このようにして形状結合が形成される。このディスクは、ばね６７によってこの係合する位置に保持される。ばね６７は、図示のようにコイルばねであっても、あるいは板ばねであってもよい。ばねは、固定ディスクを有するセンサと溝の間、あるいはセンサボディ２１と固定ディスク６１の間に設けることができる。ボルト６５を緩めて、ボルトをばね６７のばね力に抗して押し込むことによって、ディスク６１を溝壁との係合から外すことができるので、センサを移動させることができる。しかしセンサは、不用意には移動されない。というのは、係合がばね力によって固定されているからである。
【００４０】
ディスク６１の代わりに、板ばねが歯６３とねじを有することができ、従ってディスクとばねの課題を同時に引き受けることができる。溝壁内へ歯を圧入するために、ボルト６５の代わりにセンサとは関係のない工具を使用することもできる。
【００４１】
Ｔ字状にアンダーカットされた溝４１内にセンサ１１を固定するための、図１１に示すばね部材は、ばね鋼から一体的に形成されている。このばね部材は、センサボディ２１を包囲する部分と、２つの歯６３を備えたばね部分を有しており、その歯が溝の側壁の、特にＴ字状の溝の幅狭側の部分と外側の部分の、凹部と噛合することができる。これらの凹部は、ピストンジャケット面のアルミニウム内へ歯６３を圧入することによって得ることができる。
【００４２】
センサボディ２１を包囲する部分は、取り付けられた位置においてセンサボディとフランジ５９の間に位置する。これらの部分は、付加的に、センサへばね力をもたらし、それがセンサを溝の底に対して押圧する。弾性的な部分内の歯６３は、この部分のばね力によって外側へ押される。歯は、ばね部材の弛緩した状態において、互いに溝の幅よりも大きく離れている。それによってこれらの歯は、ばね部材が溝内へ導入される場合にばね部分を変形させながら互いに接近しなければならない。ねじ回しによって、あるいは特別な工具によって、ばね鋼から打ち抜かれて折り返された歯６３を、互いに直接対向させてフランジ５９のアルミニウム内へ圧入して、従ってそこに形状結合で保持することができる。
【００４３】
この種のばね部材の変形例が、図１２に示されている。これは、同様に、フランジ６９、センサボディを包囲する部分と、歯６３を備えた２つのばね部分を有している。しかしこれらは、ここではセンサの前と後ろに位置する。
【００４４】
図１３には、４つの配線図が示されており、その場合に３つのリード接点１５、１６、１７が２つの導体路にまとめられており、かつ３つの区別可能な切替えパターンを有することができる。これらの配線図を別にして、３つのリード接点を個々に照会して、後段に接続された論理によってセンサの切替え状態を分析することも可能である。
【００４５】
図１３ａと１３ｂにおいて、それぞれ第１のリード接点１５と第３のリード接点１７が直列に接続されている。直列に配置する場合には、一義的なセンサ信号を得るために、第１のリード接点が常開接点であって、第３のリード接点が常閉接点であることが必要である。第２のリード接点は、常閉接点（図１３ｂ）でも常開接点（図１３ａ）であってもよい。
【００４６】
図１３ｃと１３ｄにおいて、第１のリード接点１５と第３のリード接点１７は、並列に接続されている。これは、一義的なセンサ信号が生成されるようにするために、第１のリード接点１５が常閉接点であって、第３のリード接点１７が常開接点であることを必要とする。その際また、第２のリード接点は常閉接点であっても常開接点であってもよい。
【００４７】
リード接点の状態が、論理回路（好ましくは電子モジュールを有する）によって分析される。記載された回路において、次のことが成立する：
【００４８】
【表１】
0005171110.tif 000002
【００４９】
リード接点が個々に照会される場合に、各リード接点は互いに独立して常閉接点または常開接点であることができる。それに応じて論理回路は、個々のリード接点の開放位置と閉鎖位置が正確に解釈されるように、設計されなければならない。
【図面の簡単な説明】
【００５０】
【図１】本発明に基づくセンサの基本モジュールを図式的に斜視図で示している。
【図２】センサボディ内に成形されたセンサを示している。
【図３】２つの固定テールを有するセンサの第１の実施形態を示す斜視図である。
【図４】固定テールと係止するように協働する係止ヘッドを示す斜視図である。
【図５】本発明に基づくセンサと、ピストンに設けられた励磁磁石を有するシリンダを縦断面で示しており、ピストンは安全でない位置にある。
【図６】図５に基づくシリンダを横断面で示している。
【図７】シリンダを縦断面で示しており、ピストンは安全な位置にある。
【図８】固定テールを持たないセンサの第２の実施形態および安全な位置と安全でない位置にあるピストンを有するシリンダの一部を縦断面で示しており、その場合にそれぞれセンサ内に存在するシールドによって変形された磁場線が示されている。
【図９】センサのシリンダ軸とピストンの運動軸の方向に見たシリンダを、Ｔ字状の溝とその中の本発明に基づくセンサと共に示している。
【図１０】図９に基づく一部分を、溝内の固定装置を備えたセンサと共に示している。
【図１１】センサと、Ｔ字状のアンダーカットされた溝内にセンサを固定するためのばね部材を斜視図で示している。
【図１２】この種のばね部材の他の実施形態を示している。
【図１３】２本の電気的導線によってセンサ状態の検出を可能にする、４つの配線図を示している。
【符号の説明】
【００５１】
１１  センサ、１５  第１のリード接点、１６  第２のリード接点、１７  第３のリード接点、１９  磁石、４３  シリンダ、４５  移動可能な部分、５１  磁場
【図１】
0005171110.tif 000003
【図２】
0005171110.tif 000004
【図３】
0005171110.tif 000005
【図４】
0005171110.tif 000006
【図５】
0005171110.tif 000007
【図６】
0005171110.tif 000008
【図７】
0005171110.tif 000009
【図８】
0005171110.tif 000010
【図９】
0005171110.tif 000011
【図１０】
0005171110.tif 000012
【図１１】
0005171110.tif 000013
【図１２】
0005171110.tif 000014
【図１３】
0005171110.tif 000015